(57)【要約】【課題】特定の音に反応して位置を知らせるための鳴動機能を持つ携帯電話を提供する。【解決手段】メモリ４は鳴動機能を発現する基準となる基準外部音が格納される比較データ格納手段を有し、制御部３は入力された外部音とメモリ４に記録されている基準外部音とを比較する外部音比較手段を有することで、鳴動機能設定中に無線部２から受信された外部音に対して制御部３が基準外部音と比較して両者のデータが一致すれば、あらかじめ設定した着信パターンを発生させる。【選択図】　　　　図１
2004023559.tif 000002
【特許請求の範囲】
【請求項１】
送受信アンテナで受信された受信波が無線部で復調などの処理がなされ、得られた受話音はスピーカで利用者に伝えられ、また、無線部においては利用者より送信すべき音声を変調するなどの所定の信号処理を行い、得られた送信波は送受信アンテナから送信される、といった通話機能を有する鳴動機能付き携帯電話であって、
前記送受信アンテナと、前記無線部と、各部を制御する制御回路や音声を再生する音声再生回路である制御部と、メモリダイヤル及びファンクション機能を設定するための設定画面等を記憶しているメモリと、液晶などを用いた表示パネルであり、前記制御部の処理に応じて所定のデータをパネルに表示していく表示部と、利用者が番号入力や機能設定等の所定の操作をおこなうための複数のキーから構成された操作部と、前記メモリに記憶されている音声を鳴らすサウンダと、時計機能を有するタイマとを有し、
前記メモリは鳴動機能を発現するための基準となる基準外部音が格納される比較データ格納手段を有し、
前記制御部は入力された外部音と前記メモリに記録されている前記基準外部音とを比較する外部音比較手段を有することを特徴とする鳴動機能付き携帯電話。
【請求項２】
前記制御部は、
特定の音に反応して存在位置を知らせるための鳴動機能を設定する際には、前記基準外部音を比較用データとして前記メモリの前記比較データ格納手段に記録し、記録した前記基準外部音と同様の外部音に鳴動する所定の着信パターンをも記録し、
鳴動機能設定中に外部音を受信する際には、前記外部音と、前記比較データ格納手段に格納されている前記基準外部音とを前記外部音比較手段により比較して、前記着信パターンを発生させるかどうかを決めることを特徴とする請求項１に記載の鳴動機能付き携帯電話。
【請求項３】
前記基準外部音は、
音であれば音源の種類は問わないことを特徴とする請求項１に記載の鳴動機能付き携帯電話。
【請求項４】
前記メモリは、
前記基準外部音を複数有することを特徴とする請求項１に記載の鳴動機能付き携帯電話。
【請求項５】
前記無線部は、
外部音受信専用の集音マイクであることを特徴とする請求項１に記載の鳴動機能付き携帯電話。
【請求項６】
前記着信パターンは、
鳴動機能専用の鳴動音であることを特徴とする請求項２に記載の鳴動機能付き携帯電話。
【発明の詳細な説明】
【０００１】
【発明の属する技術分野】
本発明は特定の音に反応して位置を知らせるための鳴動機能を持つ携帯電話に関する。
【０００２】
【従来の技術】
携帯電話の大きさは年々小型化しているが、それに伴い『どこに携帯電話を置いたかが分からなくなる』という問題が発生している。
その際、傍に別の電話があれば、その電話より目的の携帯電話に電話をかけることで携帯電話の着信音でどこにあるかが分かるが、傍に電話がない場合、紛失した携帯電話の場所を確認する手段がなくなる。
携帯電話に限らないが、対象物に報知装置を取り付けることで、なくしてしまったり、本人の所有物を識別するときにその所在位置を知らせるような発明を以下に紹介する。
【０００３】
従来技術１　実用新案登録第３０５０１７７号
この考案は、一つの発射器と複数の受信器を包括し、該発射器により一組或いはそれ以上の音響暗号を発生し、受信器がそれに対する応答音響を発生するようにしてあり、使用者が該受信器を財布やキーホルダー或いはリモコンなどの物品に取り付けることで、使用者にそれらの物品の所在位置を知らせることができ、便利である、一種の音響認識と音響応答を利用した探し物発見器を提供することを課題としている。
そのために発射器に異なる周波数の信号と間隔時間を組み合わせた信号を発射させて、それにより受信器をトリガして受信器内に格納された信号パターンとのパターンマッチングを行わせ、それが符合した場合に、受信器に一つの応答音響信号を発生させることで、使用者に探し物のありかを知らせるようにしてある。
【０００４】
従来技術２　特開平０２−２６７６００号
この発明は、多数の擬似物品から、本人が自分の物品を識別・探索する際に役立つ報知装置およびこの報知装置を利用した物品の識別・探索の方法を提供することを課題としている。
そのためにこの報知装置は、予め登録された特定者の音声のみに応答して音、振動、光などの信号により、装置の存在を報知する。したがって、例えば、この報知装置を物品に取り付けたり組み込み、あるいは物品に乗せたり接近させて置き、物品の所有者を特定者として報知装置に登録しておけば、所有者は音声を発し、それに対する報知信号を感知することによって、自己の物品を他の物品から容易に識別することができ、あるいは暗がりなどでも自己の物品を容易に見つけることができる。また、特定の周波数の外部音等に応答する従来の玩具とは違い、登録された特定者以外の人の音声や、騒音等による誤応答を防止できる。
【０００５】
【発明が解決しようとする課題】
しかし、上記に取り上げた従来技術には以下の点において不都合が生じる。
【０００６】
従来技術１では、発射器と受信器とによる一種の音響認識と音響応答を利用した発明であって受信器を対象物に取り付ける必要があるが、先述したように携帯電話に関しては、他の携帯電話を利用して探している携帯電話の着信音を聞いてその所在位置を確認するのが普通であって、わざわざ受信器を携帯電話に取り付ける必要性はない。
【０００７】
従来技術２では、特定の話者の音声を認識して録音し、その話者の音声を認識して報知するものが記載されているが、録音の対象となる外部音は何も人の声だけでなく基本的に何でも良い。また、録音される音に応じて異なる報知（表示器の発光、異なる報知音の発生）にしてもよい。
本発明は傍に電話がない場合、紛失した携帯電話の場所を確認する報知手段を鑑みることを目的とする。
【０００８】
【課題を解決するための手段】
かかる目的を解決するため、請求項１に記載の発明は、送受信アンテナで受信された受信波が無線部で復調などの処理がなされ、得られた受話音はスピーカで利用者に伝えられ、また、無線部においては利用者より送信すべき音声を変調するなどの所定の信号処理を行い、得られた送信波は送受信アンテナから送信される、といった通話機能を有する鳴動機能付き携帯電話であって、送受信アンテナと、無線部と、各部を制御する制御回路や音声を再生する音声再生回路である制御部と、メモリダイヤル及びファンクション機能を設定するための設定画面等を記憶しているメモリと、液晶などを用いた表示パネルであり、制御部の処理に応じて所定のデータをパネルに表示していく表示部と、利用者が番号入力や機能設定等の所定の操作をおこなうための複数のキーから構成された操作部と、メモリに記憶されている音声を鳴らすサウンダと、時計機能を有するタイマとを有し、メモリは鳴動機能を発現する基準となる基準外部音が格納される比較データ格納手段を有し、制御部は入力された外部音とメモリに記録されている基準外部音とを比較する外部音比較手段を有することを特徴とする。
【０００９】
請求項２に記載の発明は、請求項１に記載の発明において、制御部は、特定の音に反応して存在位置を知らせるための鳴動機能を設定する際には、基準外部音を比較用データとしてメモリの比較データ格納手段に記録し、記録した基準外部音と同様の外部音に鳴動する所定の着信パターンをも記録し、鳴動機能設定中に外部音を受信する際には、外部音と、比較データ格納手段に格納されている基準外部音とを外部音比較手段により比較して、着信パターンを発生させるかどうかを決めることを特徴とする。
【００１０】
請求項３に記載の発明は、請求項１に記載の発明において、基準外部音は、音であれば音源の種類は問わないことを特徴とする。
【００１１】
請求項４に記載の発明は、請求項１に記載の発明において、メモリは、基準外部音を複数有することを特徴とする。
【００１２】
請求項５に記載の発明は、請求項１に記載の発明において、無線部は、外部音受信専用の集音マイクであることを特徴とする。
【００１３】
請求項６に記載の発明は、請求項２に記載の発明において、着信パターンは、鳴動機能専用の鳴動音であることを特徴とする。
【００１４】
【発明の実施の形態】
本発明の実施の形態を、図面を参照して詳細に説明する。
【００１５】
［実施例の構成］
図１は本発明に係る携帯電話機の構成を示したブロック図である。図１において携帯電話機は、送受信アンテナ１、無線部２、制御部３、メモリ４、表示部５、操作部６、サウンダ７、およびタイマ８により構成されている。
【００１６】
送受信アンテナ１は受信波を受信して無線部２へ送信する。
また送受信アンテナ１は、無線部２において変調された送信波を外部へ送信する。
【００１７】
無線部２は、送受信アンテナ１から受信した受信波の復調などの処理をおこない、得られた受話音を内蔵するスピーカで利用者に伝えられる。
また無線部２は、送信すべき利用者の音声を変調するなどの所定の信号処理を行い、得られた送信波を送受信アンテナ１へ送信する。なお、携帯電話機の通話時の構成、動作については周知であるので詳しい説明は省略する。
さらに無線部２は、鳴動機能の基準となる比較用データの受信及び外部音の受信を行い、制御部３へ送信する。
【００１８】
制御部３は本発明の携帯電話機の各部を制御する制御回路や音声を再生する音声再生回路である。
この制御部３は無線部２から送信された比較用データをメモリ４の比較用データ格納部に書き込みを行う。
また制御部３の外部音比較部において、無線部２が受信した外部音とメモリ４の比較用データ格納部内の基準となる比較用データとの比較を行い、外部音と比較データが一致した場合にサウンダ７にて音声を鳴動させる。
また制御部３では、利用者が着信音パターンの設定するときの操作部６の操作に応じてメモリ４から格納されてるデータ等を読み出し、表示部５上に表示させる。
【００１９】
メモリ４はメモリダイヤル及びファンクション機能を設定するための設定画面等を記憶しているメモリであり、このメモリ部分に入力された外部音との比較を行うための基準となる比較用データを格納するための比較用データ格納部を有する。
このメモリ４の比較用データ格納部には制御部３により鳴動機能の基準となる比較用データが書き込まれる。
【００２０】
表示部５は液晶などを用いた表示パネルからなっていて、制御部３の処理に応じて所定のデータをパネルに表示していく。
【００２１】
操作部６は複数のキーから構成された操作部である。
この操作部６は利用者が鳴動機能の着信音パターンを設定する箇所であり、操作部６の操作に応じて制御部３にその設定内容を送信する。
【００２２】
サウンダ７は音声を鳴らす部分であり、メモリ４に記憶している鳴動パターンの音を鳴動する。
このサウンダ７は外部音と比較データが一致した場合に制御部３の処理により音声を鳴動させる。
【００２３】
タイマ８は時計機能を担当する。
【００２４】
次に外部音が受信されてからあらかじめ利用者が設定しておいたパターンを鳴動するまでの一連の動作処理を示す。
【００２５】
まず、無線部２が外部音の受信を行い、制御部３へ送信する。
【００２６】
制御部３の外部音比較部において、無線部２が受信した外部音とメモリ４の比較用データ格納部内の基準となる比較用データとの比較を行い、外部音と比較データが一致した場合には、サウンダ７にて利用者があらかじめ設定しておいた音声を鳴動させる。また外部音と比較データが一致しなかったり、外部音が一定音量以上でなければ、鳴動させることはない。
【００２７】
一方、制御部３は利用者が操作部６においてあらかじめ設定しておいた着信音パターンの操作に応じてメモリ４から格納されてるデータ等を読み出し、表示部５上に表示させる。
【００２８】
［実施例の動作の説明］
本実施形態の動作処理を図２、３を用いて説明する。
【００２９】
［実施例１］
まず基準となる外部音を比較用データとして設定し、特定の音に反応して位置を知らせるための鳴動機能を設定する流れについて図２を用いて説明する。
まず、携帯電話機のメモリ中の、特定の音に反応して位置を知らせるための鳴動機能の設定機能を呼び出し、設定機能を設定する／しないを選択する（Ｓ２０１）。設定しない場合は（Ｓ２０１で「しない」）、機能設定動作を終了する。設定する場合は（Ｓ２０１で「する」）、基準となる外部音を録音する機能を呼び出す。録音機能をオンとしたときに外部音（例えば手拍子一回など）を発生させ、録音機能をオフとする（Ｓ２０２）。このとき録音した外部音を比較用データとしてメモリ４の比較用データ格納部に記録する。特定の音に反応して位置を知らせるための鳴動機能の着信音・ＬＥＤパターン、着信音量等を設定する（Ｓ２０３）。このことによって、特定の音に反応して位置を知らせるための鳴動機能が働く準備ができる（Ｓ２０４）。
なお、録音される外部音は複数種類設定することができるので、仮に１つの外部音を忘れたとしても別の外部音による報知手段を確保できる。
【００３０】
次に機能設定中に外部音を受信したときの動作について図３を用いて説明する。
まず無線部２のマイクから外部音を受信したときに（Ｓ３０１）、ある一定音量であるかの判断を行う（Ｓ３０２）。これは設定された音が日常生活においても多く発生する音であった場合に小音量の音にまで反応すると誤動作が多く発生してしまうためである。ある一定音量以上の外部音であった場合（Ｓ３０２でＹｅｓ）、制御部３の外部音比較部において、無線部２より受信された外部音とメモリ４の比較用データ格納部で設定されている比較用データが一致しているかを比較する（Ｓ３０３）。受信した外部音と比較用データが一致した場合（Ｓ３０３でＹｅｓ）、設定されている着信音・ＬＥＤパターン・着信音量等で、着信を知らせる（Ｓ３０４）。受信された外部音が一定音量に達しない場合（Ｓ３０２でＮｏ）や受信した外部音と比較用データが一致しなかった場合（Ｓ３０３でＮｏ）は、設定した鳴動機能の動作処理を停止する。
【００３１】
結果として、携帯電話の置き場所がわからなくなった場合に、傍に電話がなくても紛失した携帯電話の場所を確認する手段が確保できる。
【００３２】
［実施例２］
外部音の入力部分を、無線部２を使用せずに専用の集音マイク（携帯電話機内蔵、外付けとも）を使用する場合、外部音の受信精度を上げることができ、離れた場所からでも外部音の録音ができる。
【００３３】
［実施例３］
鳴動音を携帯電話機内共有で使用する鳴動音ではなく、特定の音に反応して位置を知らせるための鳴動機能専用に鳴動音をあらかじめ持っている場合、図２におけるＳ２０３の『機能設定時の着信音パターン・ＬＥＤ点灯パターン・着信音量設定』部分を省略しても同様の効果を持ち、鳴動機能の設定が簡略化される。
【００３４】
【発明の効果】
以上の実施の形態からも明らかなように、携帯電話の置き場所がわからなくなった場合に、傍に電話がなくても紛失した携帯電話の場所を確認する手段が確保できる。
また、録音される外部音は何でもよいので利用者は指定できる音の自由度が広がる。
また、録音される外部音の種類は複数設定できるので、仮に１つの外部音を忘れたとしても別の外部音による報知手段を確保できる。
また、無線部を外部音受信専用の集音マイクにすることで外部音の受信精度を上げることができ、離れた場所からでも外部音の録音ができる。
また、着信パターンを鳴動機能専用の鳴動音にすることで、鳴動機能設定を簡略化することができる。
【図面の簡単な説明】
【図１】本発明の構成ブロック図である。
【図２】特定の音に反応して位置を知らせるための鳴動機能設定のフローチャートである。
【図３】機能設定中に外部音を受信したときの動作処理のフローチャートである。
【符号の説明】
１　送受信アンテナ
２　無線部
３　制御部
４　メモリ
５　表示部
６　操作部
７　サウンダ
８　タイマ
【図１】
2004023559.tif 000003
【図２】
2004023559.tif 000004
【図３】
2004023559.tif 000005